【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
記録媒体に記録された情報データの記録位置を再配置することで、前記記録媒体上に前記情報データを連続的に記録可能な空き領域を生成する再配置手段と、
情報データの記録時間長を設定する設定手段と、
前記設定手段により設定された記録時間長に基づいて前記再配置手段による再配置処理を制御する制御手段とを備えることを特徴とする情報処理装置。
【請求項２】
前記制御手段は、前記設定された記録時間長に対応した容量の前記連続した空き領域を確保したことに応じて前記再配置処理を終了するよう前記再配置手段を制御することを特徴とする請求項１に記載の情報処理装置。
【請求項３】
前記制御手段は、前記再配置処理が終了したことに応じて、前記記録媒体上の前記情報データを連続的に記録可能な空き領域の容量に対応する、前記情報データの記録可能時間を表示装置に表示させることを特徴とする請求項１または２記載の情報処理装置。
【請求項４】
記録媒体に記録された情報データの記録位置を再配置することで、前記記録媒体上に前記情報データを連続的に記録可能な空き領域を生成する再配置手段と、
情報データの記録容量を設定する設定手段と、
前記設定手段により設定された記録容量に基づいて前記再配置手段による再配置処理を制御する制御手段とを備えることを特徴とする情報処理装置。
【請求項５】
前記制御手段は、前記設定された容量の前記連続した空き領域を確保したことに応じて前記再配置処理を終了するよう前記再配置手段を制御することを特徴とする請求項４に記載の情報処理装置。
【請求項６】
前記制御手段は、前記再配置処理が終了したことに応じて、前記記録媒体上の前記情報データを連続的に記録可能な空き領域の容量を表示装置に表示させることを特徴とする請求項４または５記載の情報処理装置。
【請求項７】
記録媒体に記録された情報データの記録位置を再配置することで、前記記録媒体上に前記情報データを連続的に記録可能な空き領域を生成する再配置手段と、
前記再配置手段による再配置処理の実行時間を設定する設定手段と、
前記設定手段により設定された実行時間に基づいて前記再配置手段による再配置処理を制御する制御手段とを備え、
前記制御手段は、前記設定手段により設定された時間だけ前記再配置処理を行った場合に前記記録媒体上に確保される前記情報データを連続的に記録可能な空き領域の容量を、前記再配置処理の実行前に表示装置に表示させることを特徴とする情報処理装置。
【請求項８】
前記制御手段は、前記設定手段により設定された時間が経過したことに応じて、前記再配置処理を実行した後に前記再配置処理を終了するよう前記再配置手段を制御することを特徴とする請求項７に記載の情報処理装置。
【請求項９】
前記制御手段は、前記再配置処理が終了したことに応じて、前記記録媒体上の前記情報データを連続的に記録可能な空き領域の容量を表示装置に表示させることを特徴とする請求項７または８記載の情報処理装置。
【請求項１０】
記録媒体に記録された画像データの記録位置を再配置することで、前記記録媒体上に前記画像データを連続的に記録可能な空き領域を生成する再配置手段と、
画像データの記録枚数を設定する設定手段と、
前記設定手段により設定された記録枚数に基づいて前記再配置手段による再配置処理を制御する制御手段とを備えることを特徴とする情報処理装置。
【請求項１１】
前記制御手段は、前記設定された記録枚数に対応した容量の前記連続した空き領域を確保したことに応じて前記再配置処理を終了するよう前記再配置手段を制御することを特徴とする請求項１０に記載の情報処理装置。
【請求項１２】
前記制御手段は、前記再配置処理が終了したことに応じて、前記記録媒体上の前記情報データを連続的に記録可能な空き領域の容量に対応する、前記画像データの記録可能枚数を表示装置に表示させることを特徴とする請求項１０または１１記載の情報処理装置。
【請求項１３】
記録媒体に記録された情報データの記録位置を再配置することで、前記記録媒体上に前記情報データを連続的に記録可能な空き領域を生成する再配置工程と、
情報データの記録時間長を設定する設定工程と、
前記設定工程において設定された記録時間長に基づいて前記再配置工程における再配置処理を制御する制御工程とを備えることを特徴とする情報処理方法。
【請求項１４】
記録媒体に記録された情報データの記録位置を再配置することで、前記記録媒体上に前記情報データを連続的に記録可能な空き領域を生成する再配置工程と、
情報データの記録容量を設定する設定工程と、
前記設定工程において設定された記録容量に基づいて前記再配置工程における再配置処理を制御する制御工程とを備えることを特徴とする情報処理方法。
【請求項１５】
記録媒体に記録された情報データの記録位置を再配置することで、前記記録媒体上に前記情報データを連続的に記録可能な空き領域を生成する再配置工程と、
前記再配置工程における再配置処理の実行時間を設定する設定工程と、
前記設定工程において設定された実行時間に基づいて前記再配置工程における再配置処理を制御する制御工程とを備え、
前記制御工程では、前記設定工程において設定された時間だけ前記再配置処理を行った場合に前記記録媒体上に確保される前記情報データを連続的に記録可能な空き領域の容量を、前記再配置処理の実行前に表示装置に表示させることを特徴とする情報処理方法。
【請求項１６】
記録媒体に記録された画像データの記録位置を再配置することで、前記記録媒体上に前記画像データを連続的に記録可能な空き領域を生成する再配置工程と、
画像データの記録枚数を設定する設定工程と、
前記設定工程において設定された記録枚数に基づいて前記再配置工程における再配置処理を制御する制御工程とを備えることを特徴とする情報処理装方法。
【請求項１７】
請求項１３乃至１６のいずれか１項に記載の情報処理方法をコンピュータに実行させるためのプログラム。
【請求項１８】
請求項１７に記載のプログラムをコンピュータ読み取り可能に記憶した記憶媒体。
【手続補正２】
【補正対象書類名】明細書
【補正対象項目名】発明の名称
【補正方法】変更
【補正の内容】
【発明の名称】情報処理装置及び情報処理方法、プログラム及び記憶媒体
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
上述した課題を解決し、目的を達成するために、本発明に係わる情報処理装置は、記録媒体に記録された情報データの記録位置を再配置することで、前記記録媒体上に前記情報データを連続的に記録可能な空き領域を生成する再配置手段と、情報データの記録時間長を設定する設定手段と、前記設定手段により設定された記録時間長に基づいて前記再配置手段による再配置処理を制御する制御手段とを備えることを特徴とする。
【手続補正５】
【補正対象書類名】明細書
【補正対象項目名】００１２
【補正方法】変更
【補正の内容】
【００１２】
また、本発明に係わる情報処理装置は、記録媒体に記録された情報データの記録位置を再配置することで、前記記録媒体上に前記情報データを連続的に記録可能な空き領域を生成する再配置手段と、情報データの記録容量を設定する設定手段と、前記設定手段により設定された記録容量に基づいて前記再配置手段による再配置処理を制御する制御手段とを備えることを特徴とする。
【手続補正６】
【補正対象書類名】明細書
【補正対象項目名】００１３
【補正方法】変更
【補正の内容】
【００１３】
また、本発明に係わる情報処理装置は、記録媒体に記録された情報データの記録位置を再配置することで、前記記録媒体上に前記情報データを連続的に記録可能な空き領域を生成する再配置手段と、前記再配置手段による再配置処理の実行時間を設定する設定手段と、前記設定手段により設定された実行時間に基づいて前記再配置手段による再配置処理を制御する制御手段とを備え、前記制御手段は、前記設定手段により設定された時間だけ前記再配置処理を行った場合に前記記録媒体上に確保される前記情報データを連続的に記録可能な空き領域の容量を、前記再配置処理の実行前に表示装置に表示させることを特徴とする。
また、本発明に係わる情報処理装置は、記録媒体に記録された画像データの記録位置を再配置することで、前記記録媒体上に前記画像データを連続的に記録可能な空き領域を生成する再配置手段と、画像データの記録枚数を設定する設定手段と、前記設定手段により設定された記録枚数に基づいて前記再配置手段による再配置処理を制御する制御手段とを備えることを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
また、本発明に係わる画像処理方法は、記録媒体に記録された情報データの記録位置を再配置することで、前記記録媒体上に前記情報データを連続的に記録可能な空き領域を生成する再配置工程と、情報データの記録時間長を設定する設定工程と、前記設定工程において設定された記録時間長に基づいて前記再配置工程における再配置処理を制御する制御工程とを備えることを特徴とする。
【手続補正９】
【補正対象書類名】明細書
【補正対象項目名】００１６
【補正方法】変更
【補正の内容】
【００１６】
また、本発明に係わる情報処理方法は、記録媒体に記録された情報データの記録位置を再配置することで、前記記録媒体上に前記情報データを連続的に記録可能な空き領域を生成する再配置工程と、情報データの記録容量を設定する設定工程と、前記設定工程において設定された記録容量に基づいて前記再配置工程における再配置処理を制御する制御工程とを備えることを特徴とする。
【手続補正１０】
【補正対象書類名】明細書
【補正対象項目名】００１７
【補正方法】変更
【補正の内容】
【００１７】
また、本発明に係わる情報処理方法は、記録媒体に記録された情報データの記録位置を再配置することで、前記記録媒体上に前記情報データを連続的に記録可能な空き領域を生成する再配置工程と、前記再配置工程における再配置処理の実行時間を設定する設定工程と、前記設定工程において設定された実行時間に基づいて前記再配置工程における再配置処理を制御する制御工程とを備え、前記制御工程では、前記設定工程において設定された時間だけ前記再配置処理を行った場合に前記記録媒体上に確保される前記情報データを連続的に記録可能な空き領域の容量を、前記再配置処理の実行前に表示装置に表示させることを特徴とする。
また、本発明に係わる情報処理方法は、記録媒体に記録された画像データの記録位置を再配置することで、前記記録媒体上に前記画像データを連続的に記録可能な空き領域を生成する再配置工程と、画像データの記録枚数を設定する設定工程と、前記設定工程において設定された記録枚数に基づいて前記再配置工程における再配置処理を制御する制御工程とを備えることを特徴とする。